(57)【要約】【課題】  原稿を精度よく位置決めし、且つ振動による画質の低下を防止する画像読み取り装置を提供する。【解決手段】  本発明に係る画像読み取り装置は、原稿が納まる第一の原稿窓と、前記第一の原稿窓に原稿を位置決めして支持する第一の原稿支持手段とを有する原稿ホルダと、筐体の上壁部に設けられる矩形の原稿台であって前記原稿ホルダを載置するための原稿台と、前記上壁部に設けられ前記原稿ホルダを前記原稿台上に位置決めする位置決め手段であって、前記原稿台の一辺の近傍に設けられる嵌合部と前記一辺の近傍に設けられる係合部であって前記嵌合部から前記一辺に沿って所定距離離間して設けられる係合部とを有する位置決め手段と、イメージセンサを副走査方向に搬送する副走査手段と、を備え、前記原稿ホルダは、前記嵌合部に嵌合する第一の嵌合手段と、前記係合部に係合する第一の係合手段とを有する。【選択図】  図１
2005064894.tif 000002
【特許請求の範囲】
【請求項１】
原稿が納まる第一の原稿窓と、前記第一の原稿窓に原稿を位置決めして支持する第一の原稿支持手段とを有する原稿ホルダと、
筐体の上壁部に設けられる透明な矩形の原稿台であって前記原稿ホルダを載置するための原稿台と、
前記上壁部に設けられ前記原稿ホルダを前記原稿台上に位置決めする位置決め手段であって、前記原稿台の一辺の近傍に設けられる嵌合部と前記一辺の近傍に設けられる係合部であって前記嵌合部から前記一辺に沿って所定距離離間して設けられる係合部とを有する位置決め手段と、
前記原稿台上に載置されている前記原稿ホルダに支持されている原稿の光学像を光電変換して電気信号を出力するイメージセンサと、
前記イメージセンサを副走査方向に搬送する副走査手段と、
を備え、前記原稿ホルダは、前記嵌合部に嵌合する第一の嵌合手段と、前記係合部に係合する第一の係合手段とを有することを特徴とする画像読み取り装置。
【請求項２】
前記第一の嵌合手段は円柱状のボスを有し、
前記嵌合部は前記原稿台の原点の近傍に設けられる円形の穴であることを特徴とする請求項１に記載の画像読み取り装置。
【請求項３】
前記第一の係合手段は円柱状のボスを有し、
前記係合部は、前記一辺に沿って延びる溝であって短手方向の幅が前記第一の係合手段が有するボスの外径に一致する溝であることを特徴とする請求項１又は２に記載の画像読み取り装置。
【請求項４】
前記第一の嵌合手段が前記嵌合部に嵌合され、前記第一の係合手段が前記係合部に係合されているとき、前記第一の原稿支持手段は原稿を前記原稿台の主走査方向の概ね中央で支持することを特徴とする請求項１、２又は３に記載の画像読み取り装置。
【請求項５】
前記第一の原稿窓は矩形に形成され、
前記第一の原稿支持手段は、原稿を支持し前記第一の原稿窓に嵌合される枠部材と、前記第一の原稿窓の内周壁に設けられ前記枠部材を対向する内周壁側に押圧して位置決めする押圧手段とを有することを特徴とする請求項１〜４のいずれか一項に記載の画像読み取り装置。
【請求項６】
前記原稿ホルダは、前記第一の原稿窓とは異なる種類の原稿が納まる第二の原稿窓と、前記第二の原稿窓に原稿を位置決めして支持する第二の原稿支持手段と、前記嵌合部に嵌合する第二の嵌合手段と、前記係合部に係合する第二の係合手段とを更に有し、前記第二の嵌合手段が前記嵌合部に嵌合され、前記第二の係合手段が前記係合部に係合されているとき、前記第二の原稿支持手段は原稿を前記原稿台の主走査方向の概ね中央で支持することを特徴とする請求項１〜５のいずれか一項に記載の画像読み取り装置。
【発明の詳細な説明】
【技術分野】
【０００１】
本発明は画像読み取り装置に関する。
【背景技術】
【０００２】
原稿を載置するための原稿台を筐体の上壁部に備え、イメージセンサを副走査方向に搬送して原稿を読み取る所謂フラットベッド型の画像読み取り装置が知られている。こうした画像読み取り装置には、フィルムなどの透過原稿を支持する原稿ホルダを備え、原稿ホルダに支持されて原稿台に載置された透過原稿を読み取るものも知られている（例えば特許文献１参照。）。
【０００３】
また、画像読み取り装置とプリンタとを一体化した所謂複合機が知られている。こうした複合機によると、画像読み取り装置で原稿を読み取り、作成したディジタル画像をプリンタで印刷することにより、原稿のコピーを行うことができる。この場合、読み取りと印刷とを並行して行うとコピーに要する時間を短縮できる。
【０００４】
【特許文献１】特開２００３−５３０４号公報
【発明の開示】
【発明が解決しようとする課題】
【０００５】
原稿ホルダに支持されている原稿を読み取る場合、イメージセンサを搬送するモータの回転やキャリッジの移動などにより読み取り中に振動が発生し、その振動によって原稿ホルダが位置ズレするという問題がある。読み取り中に原稿ホルダが位置ズレすると、作成したディジタル画像に色ズレが生じて画質が低下してしまうことになる。また、複合機の場合は印刷時の記録ヘッドの往復移動による振動が大きいため、画像読み取り装置単体のときより更に激しく振動する。このため原稿のコピーを行う場合、読み取りと印刷とを並行して行うと画像読み取り装置側で作成するディジタル画像の画質が更に低下してしまうことになる。
【０００６】
また、原稿を読み取る場合、原稿台上の読み取り領域に原稿を精度よく位置決めしないと、読み取り領域から外れた本来読み取られるべき領域が読み取られなくなり、代わりにディジタル画像に不要な領域が生じてしまう。このため原稿ホルダは原稿を読み取り領域に精度よく位置決めする必要がある。具体的には例えば原稿ホルダを主走査方向及び副走査方向に精度よく位置決めすることや、原稿台に対する原稿ホルダの傾きの低減、所謂スキューの低減や、原稿ホルダ自体に対する原稿の位置決め精度の向上などが要求される。
【０００７】
本発明は、かかる問題に鑑みて創作されたものであって、原稿を精度よく位置決めし、且つ振動による画質の低下を防止する画像読み取り装置を提供することを目的とする。
【課題を解決するための手段】
【０００８】
上記目的を達成するため、本発明に係る画像読み取り装置は、原稿が納まる第一の原稿窓と、前記第一の原稿窓に原稿を位置決めして支持する第一の原稿支持手段とを有する原稿ホルダと、筐体の上壁部に設けられる透明な矩形の原稿台であって前記原稿ホルダを載置するための原稿台と、前記上壁部に設けられ前記原稿ホルダを前記原稿台上に位置決めする位置決め手段であって、前記原稿台の一辺の近傍に設けられる嵌合部と前記一辺の近傍に設けられる係合部であって前記嵌合部から前記一辺に沿って所定距離離間して設けられる係合部とを有する位置決め手段と、前記原稿台上に載置されている前記原稿ホルダに支持されている原稿の光学像を光電変換して電気信号を出力するイメージセンサと、前記イメージセンサを副走査方向に搬送する副走査手段と、を備え、前記原稿ホルダは、前記嵌合部に嵌合する第一の嵌合手段と、前記係合部に係合する第一の係合手段とを有することを特徴とする。この画像読み取り装置によると、嵌合部と係合部とが原稿台の同じ一つの辺の近傍に設けられるため、嵌合部に対する係合部の主走査方向の位置精度、あるいは係合部に対する嵌合部の主走査方向の位置精度を向上させ易い。この結果、原稿ホルダの主走査方向の位置決め精度を向上でき、且つ原稿台に対する原稿ホルダのスキューを低減できる。従って原稿の位置決め精度を向上できる。また、原稿ホルダを筐体に固定できるため、振動が発生したとしても原稿台に対して原稿ホルダが位置ズレしない。このため、作成するディジタル画像に対する振動の影響を低減できる。よってこの画像読み取り装置によると、原稿を精度よく位置決めでき、且つ振動による画質の低下を防止できる。
【０００９】
さらに本発明に係る画像読み取り装置では、前記第一の嵌合手段は円柱状のボスを有し、前記嵌合部は前記原稿台の原点の近傍に設けられる円形の穴であることを特徴とする。この画像読み取り装置によると、嵌合部が原点の近傍に設けられるため、原点に対する嵌合部の位置精度を向上させることができ、原稿を更に精度よく位置決めできる。また、ボス及び穴を円形にすると、例えば四角にする場合に比べてボス及び穴の精度を向上させ易い。
【００１０】
さらに本発明に係る画像読み取り装置では、前記第一の係合手段は円柱状のボスを有し、前記係合部は、前記一辺に沿って延びる溝であって短手方向の幅が前記第一の係合手段が有するボスの外径に一致する溝であることを特徴とする。この画像読み取り装置によると、原稿ホルダは前記一辺に平行な方向については嵌合部によって位置決めされるため、係合部は前記一辺に交差する方向についてのみ位置決めすればよい。係合部を溝として設けると、交差する方向についての位置決め精度だけを確保すればよくなるため係合部の形成が容易になる上、穴として設ける場合に比べて第一の係合手段を係合させ易くなる。
【００１１】
さらに本発明に係る画像読み取り装置では、前記第一の嵌合手段が前記嵌合部に嵌合され、前記第一の係合手段が前記係合部に係合されているとき、前記第一の原稿支持手段は原稿を前記原稿台の主走査方向の概ね中央で支持することを特徴とする。原稿を原稿台の中央で支持すると、中央からずれた位置で支持する場合に比べて画質を向上できる。
【００１２】
さらに本発明に係る画像読み取り装置では、前記第一の原稿窓は矩形に形成され、前記第一の原稿支持手段は、原稿を支持し前記第一の原稿窓に嵌合される枠部材と、前記第一の原稿窓の内周壁に設けられ前記枠部材を対向する内周壁側に押圧して位置決めする押圧手段とを有することを特徴とする。この画像読み取り装置によると、原稿ホルダに対して原稿を精度よく位置決めできる。
【００１３】
さらに本発明に係る画像読み取り装置では、前記原稿ホルダは、前記第一の原稿窓とは異なる種類の原稿が納まる第二の原稿窓と、前記第二の原稿窓に原稿を位置決めして支持する第二の原稿支持手段と、前記嵌合部に嵌合する第二の嵌合手段と、前記係合部に係合する第二の係合手段とを更に有し、前記第二の嵌合手段が前記嵌合部に嵌合され、前記第二の係合手段が前記係合部に係合されているとき、前記第二の原稿支持手段は原稿を前記原稿台の主走査方向の概ね中央で支持することを特徴とする。この画像読み取り装置によると、一つの原稿ホルダで２種類の原稿を原稿台の中央に支持することができる。このため、原稿の種類より少ない数の原稿ホルダでいずれの種類の原稿についても画質を向上できる。
【００１４】
尚、本発明に備わる複数の手段の各機能は、構成自体で機能が特定されるハードウェア資源、プログラムにより機能が特定されるハードウェア資源、又はそれらの組み合わせにより実現される。また、これら複数の手段の各機能は、各々が物理的に互いに独立したハードウェア資源で実現されるものに限定されない。
また、本発明は装置の発明として特定できるだけでなく、プログラムの発明としても、そのプログラムを記録した記録媒体の発明としても、方法の発明としても特定することができる。
【発明を実施するための最良の形態】
【００１５】
以下、本発明の実施の形態を実施例に基づいて説明する。本実施例では画像読み取り装置とプリンタとが一体化された所謂複合機を例に説明する。
図２は、本発明の一実施例に係る画像読み取り装置が一体化されている複合機１を示す模式図である。複合機１は、画像読み取り装置としてのスキャナ部２とプリンタ部３とを備えている。原稿カバー１１はヒンジにより原稿台６１の盤面を開放した姿勢から原稿台６１の盤面を覆う姿勢に揺動可能に筐体１２に連結されている。原稿カバー１１は原稿台６１の盤面に載置された原稿ホルダ８０を押さえるとともに、透過原稿用光源３３ａ（図３参照）あるいは反射原稿用光源３３ｂ（図３参照）の放射光以外の光が原稿ホルダ８０を照らすことがないよう原稿台６１を覆うものである。尚、複合機１は原稿台に直に載置された反射原稿を読み取ることも可能である。
【００１６】
図３は複合機１の構成を示す模式図であり、図４は複合機１のハードウェア構成を示すブロック図である。
リニアイメージセンサ３０は、フォトダイオード等の受光素子が図３において紙面垂直方向に直線状に並ぶ姿勢でキャリッジ３１に搭載されている。リニアイメージセンサ３０は、可視光、赤外光、紫外光等、所定の波長領域の光を光電変換して得られる電荷を受光素子に一定時間蓄積し、受光素子ごとの受光量に応じた電気信号をＣＣＤ（Charge Coupled Device）、ＭＯＳトランジスタスイッチ等を用いて出力する。
【００１７】
縮小光学系３２は、透過原稿用光源３３ａ、反射原稿用光源３３ｂ、ミラー３４及びレンズ３５などで構成されている。反射原稿用光源３３ｂ、ミラー３４及びレンズ３５はキャリッジ３１に搭載されており、透過原稿用光源３３ａは原稿カバー１１に収容されている。透過原稿用光源３３ａは蛍光管ランプ等の管照明装置から構成されている。原稿ホルダ８０に載置されている透過原稿を読み取る場合は透過原稿用光源３３ａを点灯し、ミラー３４及びレンズ３５は照射された透過原稿の走査線上の透過光像をリニアイメージセンサ３０に結像させる。これにより透過原稿の主走査線上の光学像をリニアイメージセンサ３０に入力する。
【００１８】
第一主走査駆動部３６（図４参照）は、リニアイメージセンサ３０を駆動するために必要な駆動パルスをリニアイメージセンサ３０に出力する駆動回路である。第一主走査駆動部３６は、例えば同期信号発生器、駆動用タイミングジェネレータ等から構成される。
副走査手段としての第一副走査駆動部３７（図４参照）は、リニアイメージセンサ３０の長手方向に垂直に架設されキャリッジ３１を摺動可能に保持する摺動軸３８、キャリッジモータ３９、駆動ベルト４０、駆動回路などを備えている。キャリッジモータ３９がキャリッジ３１を駆動ベルト４０で牽引することでリニアイメージセンサ３０と原稿ホルダ８０とが走査線に垂直な方向Ｗ（副走査方向）に相対移動するため、二次元画像の走査が可能となる。
【００１９】
ＡＦＥ（Analog Front End）部４１（図４参照）は、アナログ信号処理部、Ａ／Ｄ変換器等から構成される。アナログ信号処理部は、リニアイメージセンサ３０から出力された電気信号に対して増幅、雑音低減処理等のアナログ信号処理を施して出力する。Ａ／Ｄ変換器は、アナログ信号処理部から出力された電気信号を所定ビット長のディジタル表現の出力信号に量子化して出力する。
【００２０】
ディジタル画像処理部４２（図４参照）は、ＡＦＥ部４１から出力された出力信号に対し、ガンマ補正、画素補間法による欠陥画素の補間、シェーディング補正、画像信号の鮮鋭化等の処理を行ってディジタル画像を作成する。尚、ディジタル画像処理部４２で施す上記各種の処理は、制御部５６で実行するコンピュータプログラムによる処理に置き換えてもよい。
【００２１】
記録ヘッド４３は、キャリッジ４４に設けられ、インクを吐出する複数のノズル４５、ピエゾ素子４６、インクを導くインク通路４７などを備える。ピエゾ素子４６はインク通路４７の側壁に接する位置に設けられ、駆動電圧が印加されると急速に伸長してインク通路４７の側壁を変形させる。インク通路４７の体積はピエゾ素子４６の伸張に応じて収縮し、その収縮分に相当するインクがノズル４５から高速に吐出される。
【００２２】
ヘッド駆動部４８（図４参照）は、制御部５６（図４参照）から出力された印刷信号に基づいて駆動電圧をピエゾ素子４６に印加する回路である。
第二主走査駆動部４９（図４参照）は、プラテン５０の軸と平行に架設されキャリッジ４４を摺動可能に保持する摺動軸５１、キャリッジモータ５２、駆動ベルト５３、駆動回路などを備える。キャリッジモータ５２がキャリッジ４４を駆動ベルト５３で牽引することで記録ヘッド４３が摺動軸５１の軸方向に往復移動する。
【００２３】
第二副走査駆動部５４（図４参照）は、紙送りモータ５５、紙送りモータ５５の回転をプラテン５０と図示しない用紙搬送ローラとに伝達する歯車列、駆動回路などを備える。紙送りモータ５５がプラテン５０と図示しない用紙搬送ローラとを回転させることで、主走査方向軸に交差する図３において紙面に垂直な方向（副走査方向）に印刷用紙Ｍが移動する。
【００２４】
図４に示すように、制御部５６はＣＰＵ５７、ＲＯＭ５８及びＲＡＭ５９を備えている。ＣＰＵ５７はＲＯＭ５８に記憶されたコンピュータプログラムを実行して複合機１の各部を制御する。ＲＯＭ５８は各種のプログラムやデータを記憶しているメモリであり、ＲＡＭ５９は各種のプログラムやデータを一時的に記憶するメモリである。
【００２５】
操作部１７は、読み取りボタン、コピーボタン、印刷ボタン、プレスキャンで読み取った画像からコピーする画像を選択したり所定のメニューから設定項目を選択したりするための上ボタンや下ボタンなどの複数の押しボタン、プレスキャンで読み取った画像やメニューを表示するための表示装置、エラーを通知するためのＬＥＤなどを備える。ユーザはそれら各種のボタンを操作することによって複合機１に対して印刷やその他必要な指示を入力することができる。尚、制御部５６と操作部１７とはスキャナ部２としてもプリンタ部３としても機能する。
【００２６】
次に、位置決め手段について説明する。
図５は、筐体１２の上面図である。尚、図５では原稿カバー１１を取り外した状態を示している。図中のＸ方向は主走査方向、Ｙ方向は副走査方向を示している。筐体１２の上壁部７１には矩形の開口部が形成されており、透明なガラス板などの原稿台６１によって閉塞されている。筐体１２の上壁部７１には円形の穴として形成されている嵌合部６２が原稿台６１の原点Ｑの近傍に設けられている。嵌合部６２を原点Ｑの近傍に形成すると原点Ｑと嵌合部６２との距離が短くなるため、離れている場合に比べて原点Ｑに対する嵌合部６２の主走査方向及び副走査方向の位置精度を向上させ易い。原点Ｑに対する嵌合部６２の位置精度は原点Ｑに対する原稿の位置精度に影響するため、従って嵌合部６２の位置精度が向上すると、結果として原点Ｑに対して原稿を精度よく位置決めできることになる。また、嵌合部６２を円形の穴として形成すると、円形の穴は四角などに比べて精度をだし易いため、製造が容易になるという効果がある。係合部６３は、原稿台６１の近傍の位置であって嵌合部６２から原稿台６１の一つの辺６４に沿って所定距離離間した位置に溝として形成されている。係合部６３は、その短手方向であるａ方向の幅が、後述する第一の係合手段が有する円柱状のボス、及び後述する第二の係合手段が有する円柱状のボスの外径に一致するように形成されている。原稿ホルダ８０は、辺６４に平行な方向については嵌合部６２によって位置決めされるため、係合部６３は辺６４に交差する方向についての位置決め精度だけを確保すればよい。係合部６３を溝として形成すると、交差する方向についての位置決め精度だけを確保すればよくなるため係合部６３の形成が容易になる。また、係合部６３を溝として形成すると、円形の穴として形成する場合に比べて後述する第一の係合手段を係合させ易いという効果もある。また、係合部６３を原稿台６１の近傍に設けると、係合部６３と原稿台６１との距離が離れている場合に比べて辺６４に対する係合部６３の位置精度を向上させ易い。辺６４に対する係合部６３の位置精度が低いと、原稿ホルダ８０が精度よく形成されていたとしても係合部６３の影響で原稿ホルダ８０が辺６４に対して傾いてしまい、結果として原稿の位置精度が低下してしまう。係合部６３を原稿台６１の近傍に設けると係合部６３の位置精度を向上でき、原稿の位置精度を向上できる。
【００２７】
次に、原稿ホルダ８０について説明する。
図６（Ａ）は原稿ホルダ８０の表面の上面図であり、図６（Ｂ）は側面図である。図７は原稿ホルダ８０の裏面の上面図である。原稿ホルダ８０は、ホルダ本体８１、複数の第一の原稿窓８２、第二の原稿窓８３、第一の嵌合手段としての第一嵌合部８７、第一の係合手段としての第一係合部８６、第二の嵌合手段としての第二嵌合部８４、及び第二の係合手段としての第二係合部８５、第一の原稿支持手段としての枠部材８８、及び第二の原稿支持手段としての枠部材８９を備える。
【００２８】
複数の第一の原稿窓８２は、ホルダ本体８１に設けられた矩形の開口部である。第一の原稿窓８２の内周形状は、枠部材８８の外周形状にほぼ一致するよう形成されている。尚、第一の原稿窓８２ａについては各部の符号を省略して示している。
第一の原稿支持手段は第一の原稿窓８２毎に設けられ、各第一の原稿支持手段は枠部材８８と押圧手段としての２つの爪部８９とを備える。枠部材８８は上部材と下部材とで構成され、上部材と下部材とで透過原稿Ｍの縁部を狭持することにより透過原稿Ｍを支持する。枠部材８８は、原稿ホルダ８０が原稿台６１に載置された状態で第一の原稿窓８２に嵌合される。第一の原稿窓８２の隣り合う２つの内周壁には２つの凹み部９１が設けられており、爪部８９は凹み部９１から当該凹み部９１が形成されている内周壁に対向する内周壁側に突出し、突出した方向に交差する方向に曲がって延びる形状に形成されている。爪部８９の先端部は対向する内周壁側に僅かに突出する当接部９０が設けられている。爪部８９は弾性を有しており、第一の原稿窓８２に枠部材８８が嵌合されたとき、一方の当接部９０が対向する内周壁側に押圧することにより枠部材８８をａ方向に位置決めし、同様に他方の爪部８９が押圧することで枠部材８８をｂ方向に位置決めする。この結果、透過原稿Ｍが原稿ホルダ８０に対して精度よく位置決めされる。当接部９０には表面に交差する方向の先端側から裏面側に向かってａ方向に傾斜する斜面が形成されており、枠部材８８を第一の原稿窓８２に嵌合するとき枠部材８８は斜面に案内される。このため、枠部材８８を嵌合することが容易である。
【００２９】
第二の原稿支持手段は、枠部材８９と第二の原稿窓８３の周囲に形成されている段差部とで構成される。第二の原稿窓８３はストリップフィルムを納めるための長方形の開口部である。段差部は枠部材８９の形状に一致する形状の凹みとして形成されており、ストリップフィルムに設けられている複数の係合穴に係合するための複数の突起９７が第二の原稿窓８３の長手方向の両側に沿って形成されている。尚、突起９７については図中では一つをのぞき符号を省略している。枠部材８９には段差部の突起９７に対応して複数の嵌合穴９２が設けられており、ストリップフィルムは段差部の突起９７がそれぞれ対応する係止穴を貫通するように位置決めされて段差部に載置され、枠部材８９はその上から突起９７がそれぞれ対応する嵌合穴９２に嵌合するように位置決めされて段差部に嵌め合わされる。また、段差部には係止爪９９が設けら、枠部材８９には係止穴９８が設けられている。枠部材８９が段差部に嵌め合わされたとき係止爪９９が係止穴９８に係止されることによりストリップフィルムが原稿ホルダ８０に支持される。
【００３０】
第一嵌合部８７は、原稿ホルダ８０から原稿ホルダ８０の短手方向に突出して形成されている。第一係合部８６は、第一嵌合部８７から長手方向に所定距離離間した位置から第一嵌合部８７と同じ向きに突出している。第一嵌合部８７及び第一係合部８６は図７に示すように裏面側から突出する円柱状のボス９４、９３を備えている。第一嵌合部８７のボス９４は嵌合部６２に嵌合され、第一係合部８６のボス９３は係合部６３に係合される。第一嵌合部８７が嵌合され第一係合部８６が係合されているとき、第一の原稿窓８２は原稿台６１の概ね中央に位置する。従って、原稿は原稿台６１の主走査方向の中央に支持されることになる。縮小光学系を用いる場合、原稿台６１の中央近傍ほど歪みのない画像がリニアイメージセンサ３０に結像されるため、原稿を中央で支持すると画質を向上できる。
【００３１】
第二嵌合部８４は、原稿ホルダ８０から原稿ホルダ８０の短手方向に第一嵌合部８７とは逆の向きに突出している。第二係合部８５は第二嵌合部８４から長手方向に所定距離離間した位置から第二嵌合部８４と同じ向きに突出している。第二嵌合部８４及び第二係合部８５も同様に図７に示すように裏面側から円柱状に突出するボス９５、９６を備えている。第二嵌合部８４のボス９５は嵌合部６２に嵌合され、第二係合部８５のボス９６は係合部６３に係合される。
【００３２】
図１は、原稿ホルダ８０を原稿台６１に位置決めした様子を示す斜視図である。尚、図１は第二嵌合部８４が嵌合部６２に嵌合され、第二係合部８５が係合部６３に係合されている場合を示している。図示するように第二嵌合部８４と第二係合部８５とによって原稿ホルダ８０が位置決めされているとき、第二の原稿窓８３は原稿台６１の概ね中央に位置する。
【００３３】
図８は、複合機１の処理の流れを示すフローチャートである。以下の説明では第一の原稿窓８２に支持されている原稿をコピーする場合を例に説明する。
Ｓ１０５では、プレスキャンを実行し、低解像度のディジタル画像を作成する。作成後、作成したディジタル画像から第一の原稿窓８２の内側の領域に対応するディジタル画像上の領域を切り出す。すなわち、各原稿を表す領域を切り出す。
Ｓ１１０では、ユーザはプレスキャンで作成されたディジタル画像をＬＣＤで確認し、印刷する画像を選択する。具体的には、Ｓ１０５で切り出した各原稿の画像をＬＣＤに表示し、ユーザは操作部１７を操作してコピーする原稿を選択する。
【００３４】
Ｓ１１５〜Ｓ１２０では、スキャナ部２で本スキャンを実行しつつプリンタ部３で印刷を実行する。具体的には例えば、Ｓ１２０では始めにキャリッジモータ３９を所定ステップ回転させることによりリニアイメージセンサ３０を原点Ｑから所定距離離れた読み取り領域の副走査方向の始端に移動させ、１ライン分を読み取る。尚、読み取り領域の主走査方向については、読み取りに用いる受光素子の範囲を指定することによって予め決められているものとする。尚、読み取り領域は、原稿の種類をユーザが指定したり、あるいは原稿ホルダに形成されたマークの位置を読み取って判別したりすることにより原稿の種類に応じて決められるものとする。１ライン分を読み取ると、読み取った１ライン分のデータに所定の画像処理や２値化などの処理を施し、第二主走査駆動部４９及び第二副走査駆動部５４を制御して印刷を実行する。尚、Ｓ１２０では、所定の複数ラインを読み取る毎に印刷を行うようにしてもよい。
Ｓ１２５では、読み取り領域全体についての読み取りと印刷とが完了したか否かを判定し、完了していれば処理を終了する。完了していなければＳ１１５に戻って完了するまでＳ１１５〜Ｓ１２０までの処理を繰り返す。
【００３５】
以上説明した本発明の一実施例に係る複合機１によると、嵌合部６２と係合部６３とが原稿台６１の同じ一つの辺６４に沿って設けられるため、嵌合部６２に対する係合部６３の主走査方向の位置精度、あるいは係合部６３に対する嵌合部６２の主走査方向の位置精度を向上させ易い。具体的には、嵌合部６２と係合部６３とは原稿台６１の副走査方向に延びる同じ一つの辺６４に沿っているため、嵌合部６２と係合部６３とのそれぞれについて辺６４からの主走査方向の距離の精度を向上させれば、結果として嵌合部６２に対する係合部６３の主走査方向の位置精度、あるいは係合部６３に対する嵌合部６２の主走査方向の位置精度が向上することになる。嵌合部６２と係合部６３とはそれぞれ原稿台６１の近傍に設けられるため原稿台６１との距離が短く、このため原稿台６１に対しての位置精度については向上させ易い。従って嵌合部６２と係合部６３とを原稿台６１の同じ一つの辺に沿って設けると、嵌合部６２に対する係合部６３の主走査方向の位置精度、あるいは係合部６３に対する嵌合部６２の主走査方向の位置精度を向上させ易い。この結果、原稿ホルダ８０の主走査方向の位置決め精度を向上できるとともに、原稿台６１に対する原稿ホルダ８０のスキューを低減できる。従って原稿の位置決め精度を向上できる。また、複合機１によると、原稿ホルダ８０を原稿台６１に対して位置決めできるため、コピーの際に記録ヘッドが移動することによって振動が発生したとしても原稿ホルダ８０と原稿台６１との相対的な位置は変化しない。このため、作成するディジタル画像に対する振動の影響を低減できる。よって複合機１によると、原稿を精度よく位置決めでき、且つ振動による画質の低下を防止できる。
【００３６】
また、複合機１によると、嵌合部６２が原点Ｑの近傍に設けられるため原稿ホルダ８０の副走査方向の位置決め精度についても向上できる。原点Ｑに対する主走査方向の位置精度及び副走査方向の位置精度は原点Ｑに近いほど向上させ易い。従って、嵌合部６２を原点Ｑの近傍に設けると原点Ｑに対する嵌合部６２の副走査方向についても向上できる。このため原稿ホルダ８０を副走査方向に精度よく位置決めでき、従って原稿を更に精度よく位置決めできる。
【００３７】
また、複合機１によると、原稿を第一の原稿窓８２に対して精度よく位置決めできる。原稿ホルダ８０が精度よく位置決めされたとしても、第一の原稿窓８２に原稿が精度よく位置決めされなければ結果として原点Ｑに対する原稿の位置精度が低下してしまう。複合機１は爪部８９を有しているため、枠部材８８を押圧することで第一の原稿窓８２に対して原稿を精度よく位置決めできる。このため原点Ｑに対して原稿をより確実に位置決めできる。
【００３８】
尚、本実施例では画像読み取り装置として複合機１を例に説明したが、画像読み取り装置はフラットベッド型のイメージスキャナであってもよい。この場合、イメージセンサを搬送するモータの振動による画質の低下を防止できる。
【図面の簡単な説明】
【００３９】
【図１】本発明の一実施例に係る原稿ホルダと原稿台の斜視図。
【図２】本発明の一実施例に係る画像読み取り装置の模式図。
【図３】本発明の一実施例に係る画像読み取り装置の構成を示す模式図。
【図４】本発明の一実施例に係る画像読み取り装置の構成を示す模式図。
【図５】本発明の一実施例に係る画像読み取り装置の上面図。
【図６】（Ａ）は本発明の一実施例に係る原稿ホルダの表面の上面図、（Ｂ）は側面図。
【図７】本発明の一実施例に係る原稿ホルダの裏面の上面図
【図８】本発明の一実施例に係るフローチャート。
【符号の説明】
【００４０】
１  複合機、２  スキャナ部（画像読み取り装置）、１２  筐体、３０  リニアイメージセンサ、  ３７  第一副走査駆動部（副走査手段）、６１  原稿台、６２  嵌合部、６３  係合部、７１  上壁部、８０  原稿ホルダ、８２  第一の原稿窓、８３  第二の原稿窓、８４  第二嵌合部（第二の嵌合手段）、８５  第二係合部（第二の係合手段）、８６  第一係合部（第一の係合手段）、８７  第一嵌合部（第一の嵌合手段）、８８  枠部材（第一の原稿支持手段）、８９  爪部（第一の原稿支持手段、押圧手段）、９３  ボス（第一の係合部）、９４  ボス（第一の嵌合部）、９５  ボス（第二の嵌合部）、９６  ボス（第二の係合部）
【図１】
2005064894.tif 000003
【図２】
2005064894.tif 000004
【図３】
2005064894.tif 000005
【図４】
2005064894.tif 000006
【図５】
2005064894.tif 000007
【図６】
2005064894.tif 000008
【図７】
2005064894.tif 000009
【図８】
2005064894.tif 000010